(57)【要約】      （修正有）【課題】収納型飾り台をノックダウン組立式にして、構成部材を分解状態と組上げ状態とに簡単に変更できる、節句用飾り台を提供する。【解決手段】飾り台１３は箱体と、蓋を成す台座１５とで構成され、箱体は、矩形の地板部５３と、幕板２１及びその両側に配された２つの脇板部２９、２９と、裏板部４３とが分解可能になっており、地板部５３と裏板部４３を取り外すと、脇板部２９、２９は幕板２１と蝶番を介して回動自在に連結されており、折り畳むと板材が重なった状態となる。それに地板部５３と裏板部４３を重ね合わせれば、コンパクトにまとめることができる。また、組立も逆の手順に容易にできる。【選択図】図８
0003192834.tif 000002
【実用新案登録請求の範囲】
【請求項１】
矩形の地板部と、前記地板部の４つの辺部からそれぞれ立ち上がると共に互いに連設された４つの側板部と、前記地板部と略相似し、前記４つの側板部により支持される蓋部とを、分解自在で備え、
分解したときには板面側で積み重ねることができる一方で、前記板部の縁部どうしを突き合わせると箱状に組上げることができ、
組上げ状態では、前記蓋部を節句用の人形や飾りが載置される台座とし、前記４つの側板部のうち一つを幕板とした飾り台となると共に、収納箱にもなることを特徴とする節句用飾り台。
【請求項２】
請求項１に記載した節句用飾り台において、
４つの側板部のうち幕板または裏板部とその両側にある脇板部とが蝶番により回動自在に連結されており、展開すると互いに直交し、残りの裏板部または幕板が、前記脇板部の直交状態で突き出た側とボルトナット連結されて、四角枠状に連設されることを特徴とする節句用飾り台。
【請求項３】
請求項１に記載した節句用飾り台において、
４つの側板部は、隣り合う側板部どうしが全てボルトナット連結されて、四角枠状に連設されることを特徴とする節句用飾り台。
【請求項４】
請求項２または３に記載した節句用飾り台において、
地板部と側板部は凹凸係合により一体化されていることを特徴とする節句用飾り台。
【請求項５】
請求項１から４のいずれかに記載した節句用飾り台を分解し、板面側で重ね合わせて積み上げた状態で梱包したことを特徴とする飾り台梱包箱。
【請求項６】
請求項５に記載した飾り台梱包箱を、人形などの飾りを梱包した飾り梱包箱と共に、節句セットとして、一つの梱包箱に収めたことを特徴とする節句セット梱包箱。
【考案の詳細な説明】
【技術分野】
【０００１】
本考案は雛人形、甲冑等の節句用の人形や飾りを載置させて展示するための飾り台に関するものである。
【背景技術】
【０００２】
節句用の雛人形を親王飾りで展示したり、甲冑を展示したりする場合には、華やかさを演出するために、飾り台を利用する場合が多い。
この飾り台は、正面側が幕板と呼ばれる部分となっており、そこには、蒔絵や刺繍により飾りが施されている。
而して、幕板にある程度の面積を確保しようとすると、飾り台全体のサイズも大きくなるので、最近では、そのような飾り台を、展示しないときには収納箱として利用できるよう、収納型が提案されている。
【考案の概要】
【考案が解決しようとする課題】
【０００３】
しかしながら、従来の収納型飾り台は、最初から箱状に一体化されている。
そのため、保管するにも、輸送するにも、大きさに比例してコスト高を招いている。
また、荷役の際には、パレットへ載せ降ろしすることになるが、その載せ降ろしの際にも、パレット等に当たったりすると角部の損傷が生じ易いので、慎重な作業を必要とする。
さらに、飾り台と雛人形等の飾りは、メーカーが別々になっており、問屋なり小売店なりで飾り台と雛人形等の飾りをセットにして、一つの梱包箱に一緒に詰め込むことになるが、飾り台が大きくなれば、そのセット詰めにも手間が掛かることになる。
【０００４】
本考案は上記従来の問題点に着目して為されたものであり、収納型飾り台をノックダウン組立式にして、構成部材を分解状態と組上げ状態とに簡単に変更できる、新規且つ有用な節句用飾り台を提供することを、その目的とする。
また、本考案は、特に、物流段階での上記した課題を解決できる、製品形態を提供することを、その目的とする。
【課題を解決するための手段】
【０００５】
本考案は上記課題を解決するためになされたものであり、請求項１の考案は、矩形の地板部と、前記地板部の４つの辺部からそれぞれ立ち上がると共に互いに連設された４つの側板部と、前記地板部と略相似し、前記４つの側板部により支持される蓋部とを、分解自在で備え、分解したときには板面側で積み重ねることができる一方で、前記板部の縁部どうしを突き合わせると箱状に組上げることができ、組上げ状態では、前記蓋部を節句用の人形や飾りが載置される台座とし、前記４つの側板部のうち一つを幕板とした飾り台となると共に、収納箱にもなることを特徴とする節句用飾り台である。
【０００６】
請求項２の考案は、請求項１に記載した節句用飾り台において、４つの側板部のうち幕板または裏板部とその両側にある脇板部とが蝶番により回動自在に連結されており、展開すると互いに直交し、残りの裏板部または幕板が、前記脇板部の直交状態で突き出た側とボルトナット連結されて、四角枠状に連設されることを特徴とする節句用飾り台である。
【０００７】
請求項３の考案は、請求項１に記載した節句用飾り台において、４つの側板部は、隣り合う側板部どうしが全てボルトナット連結されて、四角枠状に連設されることを特徴とする節句用飾り台である。
【０００８】
請求項４の考案は、請求項２または３に記載した節句用飾り台において、地板部と側板部は凹凸係合により一体化されていることを特徴とする節句用飾り台である。
【０００９】
請求項５の考案は、請求項１から４のいずれかに記載した節句用飾り台を分解し、板面側で重ね合わせて積み上げた状態で梱包したことを特徴とする飾り台梱包箱である。
【００１０】
請求項６の考案は、請求項５に記載した飾り台梱包箱を、人形などの飾りを梱包した飾り梱包箱と共に、節句セットとして、一つの梱包箱に収めたことを特徴とする節句セット梱包箱である。
【考案の効果】
【００１１】
本考案の収納型飾り台によれば、ノックダウン組立式で、構成部材を分解状態と組上げ状態とに簡単に変更できる。
従って物流段階では分解してコンパクト化し、組み立てれば収納箱としても利用できる。
【図面の簡単な説明】
【００１２】
【図１】本考案の実施の形態に係る節句用飾り台を備えた雛人形セットを示す斜視図である。
【図２】図１の台座を示す斜視図である。
【図３】図１の飾り台から台座を取り外した状態を示す斜視図である。
【図４】図３の幕板部と左右板部との連結状態を示す斜視図である。
【図５】図２の飾り台を一部分解した状態を示す斜視図である。
【図６】図１の地板部を示す斜視図である。
【図７】図１の屏風の折り畳み手順の説明図である。
【図８】図１の飾り台と屏風の梱包箱への収納時における重ね合せ状態を示す斜視図である。
【図９】図１の各種雛道具を分けて示す斜視図である。
【図１０】図１の飾り台と屏風とその他各種雛道具の梱包状態を示す斜視図である。
【図１１】図３、図４の飾り台とは別の連結構造の飾り台を示す斜視図である。
【考案を実施するための形態】
【００１３】
本考案の実施の形態に係る雛人形セット１を、図面にしたがって説明する。
この雛人形セット１は、親王飾りと呼ばれるもので、雛人形がお内裏様３とお雛様５の二体だけのシンプルなものとなっている。雛道具としては、屏風７の他、雪洞、桜橘、親王台、三宝、菱餅と言った小物９と、更には、お内裏様３とお雛様５を飾る冠、笏、桧扇と言った人形を飾る人形用飾り１１とが使用される。
【００１４】
符号１３は飾り台を示し、この飾り台１３は直方体の箱体を為している。
飾り台１３の上面側が長方形の台座１５になっており、畳部１６が設けられている。この畳部１６上に、上記した小物９や、飾り１１を付けられた二体の雛人形３、５が、所定の作法に従って並べられている。
図２に示すように、台座１５は、飾り台１３から取り外し可能になっている。
台座１５は、蓋部としての機能を担っており、蓋縁１７が下方に折れている。
【００１５】
図３に示すように、飾り台１３から台座１５を取り外すと、上側が全面開口した箱体１９となる。この箱体１９は、５つの平板部材を組み合わせて構成したものであり、正面にくる横長長方形の幕板２１が視認のメイン部となっており、蒔絵２３が描かれている。
幕板２１には左右両側の短辺縁部と、下側の長辺縁部に沿って枠部材２５、２７、２５が取り付けられている。枠部材２５、２７はいずれも帯状の平板により形成されており、板面が幕板２１に固定されている。枠部材２７は下側の長辺縁部全体にわたって延びており、枠部材２５は枠部材２７の左右端部の上端に連続している。
枠部材２７の下端は幕板２１の下端と略面一になっているが、幕板２１の左右両側の短辺縁部側では、その縁部を超えて枠部材２５、２７が一部外方に延出している。また、枠部材２５の上端は、幕板２１の上側の長辺縁部よりも低い位置にある。
【００１６】
幕板２１の左右両側の短辺縁部には、一対の脇板部２９、２９が配されている。この脇板部２９、２９の上下端は幕板２１の上下端と揃えられている。
図４に示すように、箱体１９に組立てられたときには、幕板２１の縁部に脇板部２９の板厚部分３１が並んで面一になるように設定されている。脇板部２９と幕板２１の境界の角部には、箱体１９になったときの内面側に、蝶番３３が取付けられて回動自在に連結している。蝶番３３は、一つの連結角部に対して二つ上下に間隔をあけて取り付けられている。
蝶番３３の蝶板３５は、上記した面一状態を為すために、脇板部２９側は縁部より稍内方で固定されている。
【００１７】
幕板２１側に現れた板厚部分３１は、図３に示すように、枠部材２５、２７の外方延出部分の背面側にくるので、正面から隠れる。
各脇板部２９には外面側に把持凹部３７が形成されている。また、幕板２１との連結側とは反対側の縁寄りに二つのナット３９、３９が上下に所定の間隔をあけて取り付けられている。このナット３９は貫通孔４１（図５）に通されている。
【００１８】
幕板２１の板面対向側には、裏板部４３が配されている。この裏板部４３は、箱体１９となったときの内面側では、左右両側の短辺縁部がその余の部分より板厚が大きくなった厚み部位４５になっている。
図５に示すように、厚み部位４５には切欠き４７が形成されている。この切欠き４７は内面側及び短辺縁部側から角形状に切り取って形成されたものであり、内面側だけでなく、短辺縁部側にも開放されている。この切欠き４７は一つの厚み部位４５に対してそれぞれ２つ上下に所定の間隔をあけて形成されている。
【００１９】
各切欠き４７にはボルト軸４９が差し込まれて固定されている。ボルト軸４９は、板厚側の面に、軸方向一端部が固定されており、他端部は切欠き４７を抜けて短辺縁部側から外方に突出している。
また、裏板部４３の内面側の上下２つの長辺縁部側のうち下側の長辺縁部側にはその全長にわたって縁部に平行に係合凹条部５１が形成されている。
【００２０】
上記した幕板２１とその左右両側にそれぞれ連結された脇板部２９、２９と、裏板部４３とで、箱体１９となったときの４つの側板部を構成している。
図６は、長方形の地板部５３を示し、箱体１９の底部として用いられている。
幕板２１と脇板部２９、２９は一体となっているが、裏板部４３と地板部５３はそれぞれ分かれており、組み立てることで上側が開口した箱体１９となる。
【００２１】
組立ては、まず、幕板２１に対して左右脇板部２９、２９を観音開きで垂直より稍大き目に拡開して略直交状態で付き出させ、その間に地板部５３を差し込む。幕板２１の内面側にも、裏板部４３と同じように係合凹条部（図示省略）が形成されており、そこに地板部５３の一方の長辺縁５５を係合させる。次に、裏板部４３を、突き出た左右脇板部２９、２９の間にそのまま差し込み、係合凹条部５１に地板部５３の反対側の長辺縁５５を係合させると共に、左右脇板部２９、２９を閉じて地板部５３の左右の板厚部分に合わせる。その上で、各ボルト軸４９を脇板部２９の貫通孔４１に通し、ナット３９で外面側から締め付ける。この板部の縁部どうしの上記した突合せと連結により、地板部５３の４つの辺部から幕板２１と左右脇板部２９、２９と裏板部４３とがそれぞれ立ち上がると共に互いに連設された状態となって、完成した箱体１９となる。
【００２２】
台座１５の座面は、地板部５３と略相似し僅かに大きくなっており、箱体１９に台座１５を載せて支持させると、蓋縁１７が箱体１９の上側に被さり、図１に示すように、その開口縁部が隠される。
幕板２１側にくる蓋縁１７が枠部材となって、幕板２１に取り付けられた枠部材２５、２７、２５と共に、四角の枠体を構成し、幕板２１の中心に描かれた蒔絵２３を引き立たせている。
【００２３】
上記の組立て手順を逆にすれば、箱体１９が分解されて、幕板２１と一対の脇板部２９、２９、裏板部４３、地板部５３はバラになる。
このバラにした状態での梱包の仕方を説明する。
先ず、図７に示すように、屏風７を、矢印に示すように折り畳んで板厚方向に重ね合わせ、さらに、屏風用梱包箱５７にその折り畳んだ屏風７を矢印に示すように入れて閉じて密閉し、バンド等（図示省略）を掛ける。
【００２４】
次に、上記した屏風７を含む飾り台１３の梱包の仕方を説明する。
飾り台１３の梱包箱は、箱本体５９とその上側の開口を塞ぐ被せ蓋６１とで構成されている。
この箱本体５９に、まず、台座１５を畳み１６が描かれた座面を下側にして詰める。従って、台座１５の縁１７に囲まれた凹部１７Ｕが上側にくる。
その凹部１７Ｕに、地板部５３を載せて嵌め込む。そして、その上に、裏板部４３を厚み部位４５、４５が上側にくるように重ね合わせる。次に、厚み部位４５、４５どうしの間にできた凹部に、図７で示すように屏風７を梱包した屏風梱包箱５７を載せて嵌め込む。
【００２５】
幕板２１とその両側の脇板部２９、２９は観音開きとは逆方向に回動させ縮閉させており、脇板部２９、２９が幕板２１の背面側にきて板面どうしが重ね合されている。
これを、幕板２１が上側にくるように重ね合わせる。
上記した重ね合わせにより、板材が板厚方向に積み重なった状態になっており、台座１５の凹部１７Ｕに、サイズの相対的に小さい地板部５３が嵌め込まれて収容され、裏板部４３の厚み部位４５、４５の間に出来た凹部に、サイズの相対的に小さい屏風７（梱包箱５７）が嵌め込まれて収容されており、せん断方向にも移動し難くなっている。
【００２６】
箱本体５９内で、上記のように重ね合わせた状態で、被せ蓋６１を被せて閉じ、バンド等を掛ければ梱包が完成する。
この梱包状態では、上記したように、各構成部材が隙間なく収容された状態となっており、梱包箱５９の容積を大幅に減らすことができる。
【００２７】
雛人形セット１には、図１に示すように、雛道具としては、屏風７の他、雪洞、桜橘、親王台、三宝、菱餅と言った小物９と、更には、お内裏様３とお雛様５を飾る冠、笏、桧扇と言った人形を飾るもの１１があるが、これらも、図９に示すように、展示しないときには、収納リストの物品となっている。
二体の雛人形３、５と共に、これらもそれぞれ専用の梱包箱に入れられている。
図１０に示すものは、これらの梱包箱６３、６３……を、飾り台１３や屏風７を詰めた梱包箱６１（５９）と一まとめにした大きな梱包箱６５に詰めた状態を示す。購入者は、このように、飾り台１３、雛人形３、５、屏風７、小物９、１１をセットとして購入する場合が多いので、このようにセット詰めして配送することになるが、飾り台１３が分解され密に梱包されているので、その分だけ、梱包箱６５の容積を大幅に減らすことができる。
【００２８】
従って、物流段階では、飾り台１３を分解して詰めた梱包箱６１（５９）、さらにそれを人形等と共にセット詰めした梱包箱６５を取り扱うことになり、サイズダウンによるメリットを享受することができる。
また、展示する際の飾り台１３の組立ても簡単であり、ノックダウン組立てによる購入者への負担は無い。
さらに、購入者は、展示しない場合には、飾り台１３を分解して梱包状態に容易に戻すことができるので、保管事情を考慮して飾り台１３を収納箱として使用するなり、梱包状態に戻して保管するなり適宜調整できる。
【００２９】
図１１は、飾り台１３の別の連結構造を示す斜視図である。
この例では、幕板２１と一対の脇板部２９、２９はそれぞれバラに分解可能になっている。
幕板２１の内面側には両短辺縁部寄りに凸条６７が一体に形成され、各脇板部２９の内面側にも両短辺縁寄りに凸条６９が一体に形成されている。
幕板２１の凸条６７に脇板部２９が重ね合わされ、脇板部２９の凸条６９に裏板部４３が重ね合されて箱体１９になっている。
凸条６７、６９にはそれぞれ上下に二箇所に鬼目ナット７１が取付けられている。凸条６７が相対する脇板部２９側から貫通孔を介してコインボルト７３が差し込まれ鬼目ナット７１に螺合している。凸条６９が相対する裏板部４３側からも貫通孔を介してコインボルト７３が差し込まれ鬼目ナット７１に螺合している。
このボルトナット連結により、箱体７５となっている。
この箱体７５では、脇板部２９の板厚部分が幕板２１側に現れないので、枠部材２５、２７は幕板２１の縁部と揃えられている。
【００３０】
以上、本考案の実施の形態について詳述してきたが、具体的構成は、この実施の形態に限られるものではなく、本考案の要旨を逸脱しない範囲における設計の変更などがあっても考案に含まれる。
例えば、梱包箱に実際に飾り台等を入れる際には屏風７や幕板２１の飾り面にカバーシートを被せたりして保護しながら箱に詰めるが、上記では視認の便宜を考慮してこれらは図示省略されている。
【符号の説明】
【００３１】
１……雛人形セット                ３、５……雛人形
７……屏風                        ９、１１…雛道具
１３……飾り台                    １５……台座
１６……畳部                      １７……蓋縁
１９……箱体                      ２１……幕板
２３……蒔絵                      ２５、２７……枠部材
２９……脇板部                    ３１……板厚部分
３３……蝶番                      ３５……蝶板
３７……把持凹部                  ３９……ナット
４１……貫通孔                    ４３……裏板部
４５……厚み部位                  ４７……切欠き
４９……ボルト軸                  ５１……係合凹条部
５３……地板部                    ５５……縁部
５７……屏風用梱包箱              ５９、６１…梱包箱
６３……梱包箱                    ６５……梱包箱
６７……（幕板の）凸条            ６９……（脇板部の）凸条
７１……鬼目ナット                ７３……コインボルト
７５……箱体
【図１】
0003192834.tif 000003
【図２】
0003192834.tif 000004
【図３】
0003192834.tif 000005
【図４】
0003192834.tif 000006
【図５】
0003192834.tif 000007
【図６】
0003192834.tif 000008
【図７】
0003192834.tif 000009
【図８】
0003192834.tif 000010
【図９】
0003192834.tif 000011
【図１０】
0003192834.tif 000012
【図１１】
0003192834.tif 000013